(57)【要約】【課題】  ＩＣコインを貯留する手段をより合理的に構成してなるＩＣコイン処理装置を得ること。【解決手段】  ＩＣコイン１０は、回転板３１０を正回転させるとレバー３１５に押されて搬送され、回転板を逆回転させると突条部３１３の第１端部３１３ａに押されて搬送され、ストック部４００にＩＣコインを貯留する場合は、回転板を正回転させ、ＩＣコインが円筒部４１０にもたらされると、レバーが凹部４４０により第２作用面１２０側に移動し、ＩＣコインが突片４３０に当接しつつ第２端部３１３ｂに乗り上げることによって円筒部に押込まれ、ストック部からＩＣコインを取出す場合は、回転板を逆回転させ、ＩＣコインの保持位置が円筒部にもたらされると、当該保持位置にＩＣコインが可動部４２０により押出され、押出されたＩＣコインが第１端部に押されて搬送されるようにした。【選択図】図１
2010233675.tif 000002
【特許請求の範囲】
【請求項１】
ＩＣコインに記録されたデータの読取り、及び前記ＩＣコインへのデータの書込みを行うＩＣコイン処理装置において、
前記データの読取り及び前記データの書込みを行うアンテナと、前記ＩＣコインを搬送する搬送手段と、前記ＩＣコインを貯留するストック部と、それらを収納する筐体とを備え、
前記筐体には、前記ＩＣコインの投入口及び排出口を設け、
前記搬送手段は、前記ＩＣコインを保持する回転板と、前記回転板を回転させる駆動手段とを備え、前記投入口に投入された前記ＩＣコインを前記回転板が保持し、前記回転板が回転することにより前記ＩＣコインを前記アンテナの送受信位置、前記ストック部、及び前記排出口へもたらすものであり、
前記筐体の内部には、互いに隙間を空けて対向する第１作用面及び第２作用面を設け、
前記回転板は、前記第１作用面と第２作用面との隙間において回転するものであり、前記第１作用面側に突出し且つ前記回転板の回転軸を中心とする円弧形の突条部と、前記回転板の厚さ方向に起倒するレバーを装着する開口部とを備え、
前記レバーは、前記第２作用面に向って付勢されるとともに、前記第２作用面に支えられて前記第１作用面側に突出するものであり、
前記突条部は、前記ＩＣコインの保持位置を挟んで対峙する第１端部及び第２端部を備え、
前記第２端部は、その先端に向って突出が小さくなるテーパー状のものとし、
前記ＩＣコインは、前記回転板と前記第１作用面との間において前記第１端部及び前記レバーに当接して保持されるものとし、前記回転板を正回転させると前記レバーに押されて搬送され、前記回転板を逆回転させると前記第１端部に押されて搬送され、
前記ストック部は、前記回転板の回転方向と直交する方向に前記ＩＣコインを積層して貯留するものであり、前記第１作用面から前記回転板の反対側に設けられた円筒部と、前記円筒部の内部において前記回転板の回転方向と直交する方向に移動可能に設けられるとともに前記回転板に向って付勢された可動部と、前記円筒部と前記第１作用面との境目から前記回転板側に突出した突片と、前記第２作用面に設けられて前記レバーを操作する凹部とを備え、
前記ストック部に前記ＩＣコインを貯留する場合は、前記回転板を正回転させ、前記ＩＣコインが前記円筒部にもたらされると、前記レバーが前記凹部により前記第２作用面側に移動し、前記ＩＣコインが前記突片に当接しつつ前記第２端部に乗り上げることによって前記円筒部に押込まれ、
前記ストック部から前記ＩＣコインを取出す場合は、前記回転板を逆回転させ、前記ＩＣコインの保持位置が前記円筒部にもたらされると、当該保持位置に前記ＩＣコインが前記可動部により押出され、押出された前記ＩＣコインが前記第１端部に押されて搬送されるようにしたことを特徴とするＩＣコイン処理装置。
【発明の詳細な説明】
【技術分野】
【０００１】
本発明は、ＩＣコインについてデータの読取り及び書込みを行う装置に関する。
【背景技術】
【０００２】
一般に、パチンコやスロットマシンといった遊戯台の側部には、遊戯媒体の貸出し装置が設置されている。いわゆる台毎サンド、或は台間機等と称されるものである。
【０００３】
遊戯媒体の貸出し装置は、基本的には紙幣や硬貨が投入されるとその価格に応じた量の遊戯媒体を供給するものであるが、近年では、遊戯客の便宜を図り、所定の情報記録媒体を扱うものが主流となりつつある。すなわち、投入した紙幣や硬貨の価格を限度に遊戯客が遊戯媒体の貸出し量を任意に設定し、遊戯客がその遊戯台を離れる際には、投入価格と貸出した遊戯媒体との差額を情報記録媒体に記録してこれを提供し、遊戯客が他の遊戯台で再び遊戯をする場合は、紙幣や硬貨の代わりにその情報記録媒体を貸出し装置に投入することができる構成となっている。特許文献１乃至６には、情報記録媒体としてＩＣコインを処理する装置が開示されている。
【先行技術文献】
【特許文献】
【０００４】
【特許文献１】特開２００２−３５４００号公報
【特許文献２】特開２００２−１９１８４６号公報
【特許文献３】特開２００２−２１０２０７号公報
【特許文献４】特開２００６−４８６６２号公報
【特許文献５】特開２００７−９７７２０号公報
【特許文献６】特開２００８−８００６２号公報
【発明の概要】
【発明が解決しようとする課題】
【０００５】
さて、この種のＩＣコイン処理装置は、ＩＣコインを貯留する手段が備えられている。すなわち、データの読取り及び書込みを行うのみならず、必要に応じてＩＣコインを提供し、且つ返却する必要のなくなったＩＣコインを回収するものとなっている。
ＩＣコインを貯留する手段としては、様々な構成が考えられるところ、これをどのように工夫するかが、装置の性能や処理速度を左右する重要な課題となっている。
【０００６】
特に、遊戯媒体の貸出し装置は、更なる多機能化及び高性能化が求められるものの、設置スペースが限られており、情報記録媒体としてＩＣコインを処理する装置についても、その設置スペースを有効に利用するべく小型のものが望まれている。つまり、装置を小型化するという点においても、ＩＣコインを貯留する手段の合理化が必要とされている。
【０００７】
本発明は、かかる事情に鑑みてなされたものであり、その目的は、ＩＣコインを貯留する手段をより合理的に構成してなるＩＣコイン処理装置を提供することである。
【課題を解決するための手段】
【０００８】
本願第１請求項に記載した発明は、ＩＣコイン（１０）に記録されたデータの読取り、及び前記ＩＣコイン（１０）へのデータの書込みを行うＩＣコイン処理装置（１）において、前記データの読取り及び前記データの書込みを行うアンテナ（２００）と、前記ＩＣコイン（１０）を搬送する搬送手段（３００）と、前記ＩＣコイン（１０）を貯留するストック部（４００）と、それらを収納する筐体（１００）とを備え、前記筐体（１００）には、前記ＩＣコイン（１０）の投入口（１０１）及び排出口（１０２）を設け、前記搬送手段（３００）は、前記ＩＣコイン（１０）を保持する回転板（３１０）と、前記回転板（３１０）を回転させる駆動手段（３２０）とを備え、前記投入口（１０１）に投入された前記ＩＣコイン（１０）を前記回転板（３１０）が保持し、前記回転板（３１０）が回転することにより前記ＩＣコイン（１０）を前記アンテナ（２００）の送受信位置、前記ストック部（４００）、及び前記排出口（１０２）へもたらすものであり、前記筐体（１００）の内部には、互いに隙間を空けて対向する第１作用面（１１０）及び第２作用面（１２０）を設け、前記回転板（３１０）は、前記第１作用面（１１０）と第２作用面（１２０）との隙間において回転するものであり、前記第１作用面（１１０）側に突出し且つ前記回転板（３１０）の回転軸を中心とする円弧形の突条部（３１３）と、前記回転板（３１０）の厚さ方向に起倒するレバー（３１５）を装着する開口部（３１４）とを備え、前記レバー（３１５）は、前記第２作用面（１２０）に向って付勢されるとともに、前記第２作用面（１２０）に支えられて前記第１作用面（１１０）側に突出するものであり、前記突条部（３１３）は、前記ＩＣコイン（１０）の保持位置を挟んで対峙する第１端部（３１３ａ）及び第２端部（３１３ｂ）を備え、前記第２端部（３１３ｂ）は、その先端に向って突出が小さくなるテーパー状のものとし、前記ＩＣコイン（１０）は、前記回転板（３１０）と前記第１作用面（１１０）との間において前記第１端部（３１３ａ）及び前記レバー（３１５）に当接して保持されるものとし、前記回転板（３１０）を正回転させると前記レバー（３１５）に押されて搬送され、前記回転板（３１０）を逆回転させると前記第１端部（３１３ａ）に押されて搬送され、前記ストック部（４００）は、前記回転板（３１０）の回転方向と直交する方向に前記ＩＣコイン（１０）を積層して貯留するものであり、前記第１作用面（１１０）から前記回転板（３１０）の反対側に設けられた円筒部（４１０）と、前記円筒部（４１０）の内部において前記回転板（３１０）の回転方向と直交する方向に移動可能に設けられるとともに前記回転板（３１０）に向って付勢された可動部（４２０）と、前記円筒部（４１０）と前記第１作用面（１１０）との境目から前記回転板（３１０）側に突出した突片（４３０）と、前記第２作用面（１２０）に設けられて前記レバー（３１５）を操作する凹部（４４０）とを備え、前記ストック部（４００）に前記ＩＣコイン（１０）を貯留する場合は、前記回転板（３１０）を正回転させ、前記ＩＣコイン（１０）が前記円筒部（４１０）にもたらされると、前記レバー（３１５）が前記凹部（４４０）により前記第２作用面（１２０）側に移動し、前記ＩＣコイン（１０）が前記突片（４３０）に当接しつつ前記第２端部（３１３ｂ）に乗り上げることによって前記円筒部（４１０）に押込まれ、前記ストック部（４００）から前記ＩＣコイン（１０）を取出す場合は、前記回転板（３１０）を逆回転させ、前記ＩＣコイン（１０）の保持位置が前記円筒部（４１０）にもたらされると、当該保持位置に前記ＩＣコイン（１０）が前記可動部（４２０）により押出され、押出された前記ＩＣコイン（１０）が前記第１端部（３１３ａ）に押されて搬送されるようにした構成のＩＣコイン処理装置（１）である。
【発明の効果】
【０００９】
本発明によれば、ＩＣコインを貯留する手段をより合理的に構成してなるＩＣコイン処理装置を得ることができる。
【図面の簡単な説明】
【００１０】
【図１】本発明の実施例に係り、ＩＣコイン処理装置を示す側面透視図である。
【図２】本発明の実施例に係り、ＩＣコイン処理装置を示す上面断面図である。
【図３】本発明の実施例に係り、回転板を示す説明図である。
【図４】本発明の実施例に係り、回転板を示す説明図であり、図３のＸ−Ｘ矢視断面図である。
【図５】本発明の実施例に係り、レバーを示す説明図である。
【図６】本発明の実施例に係り、ストック部の説明図である。
【図７】本発明の実施例に係り、ストック部の説明図である。
【図８】本発明の実施例に係り、ストック部の説明図である。
【図９】本発明の実施例に係り、ストック部の説明図である。
【図１０】本発明の実施例に係り、ストック部の説明図である。
【図１１】本発明の実施例に係り、ストック部の説明図である。
【図１２】本発明の実施例に係り、可動部を示す説明図である。
【図１３】本発明の実施例に係り、ストック部の説明図である。
【発明を実施するための形態】
【００１１】
以下に、本発明の実施例を図面に基づいて説明する。図１及び図２に示すＩＣコイン処理装置１は、情報記録媒体としてＩＣコイン１０を用いる遊戯媒体の貸出し装置に組込まれるユニットであり、ＩＣコイン１０に記録されたデータの読取り、及びＩＣコイン１０へのデータの書込みを行うものである。
【００１２】
このＩＣコイン処理装置１は、垂直方向に扁平な筐体１００を備え、筐体１００の厚さ方向に対応する側面の１つには、上から順にＩＣコイン１０の投入口１０１、及び排出口１０２が設けられている。遊戯媒体の貸出し装置に対しては、投入口１０１及び排出口１０２が設けられた側面が正面側となるように組込まれる。
【００１３】
本例の筐体１００は、複数の構成部材を組付けてなるものであり、筐体１００の内部には、データの読取り及びデータの書込みを行うアンテナ２００と、ＩＣコイン１０を搬送する搬送手段３００と、ＩＣコイン１０を貯留するストック部４００と、ＩＣコイン１０を投入口１０１で停止させるゲート５００と、ＩＣコイン１０がゲート５００を通過したことを検出する第１センサ６１０と、前記ＩＣコイン１０が排出口１０２を通過したことを検出する第２センサ６２０と、搬送手段３００にて搬送中のＩＣコイン１０の有無を確認する第３センサ６３０とを備えている。
【００１４】
アンテナ２００としては、リードライトアンテナを採用している。あるいは、読取り用のアンテナと書込み用のアンテナをそれぞれ設けてもよい。ゲート５００は、リンク部５２０を介してソレノイド５１０に連結されており、ソレノイド５１０に対する通電・断電に応じて開閉する構成となっている。また、第１センサ６１０、第２センサ６２０、及び第３センサとしては、反射型の光センサを採用している。
【００１５】
本例の場合、搬送手段３００は、ＩＣコイン１０を保持する回転板３１０と、回転板３１０を回転させる駆動手段３２０とを備え、投入口１０１に投入されたＩＣコイン１０を回転板３１０が保持し、回転板３１０が所定の位置へ回転することによりＩＣコイン１０をアンテナ２００の送受信位置、ストック部４００、及び排出口１０２へそれぞれもたらすものとなっている。
【００１６】
筐体１００の内部には、筐体１００の厚さ方向に互いに隙間を空けて対向する第１作用面１１０及び第２作用面１２０が設けられており、回転板３１０は、第１作用面１１０と第２作用面１２０との隙間において回転する。回転板３１０の支軸３１１は、第１作用面１１０及び第２作用面１２０に支持されている。
【００１７】
駆動手段３２０は、ステップモータ３２１と、ステップモータ３２１の出力軸と連結された中間ギア３２２と、回転板３１０の回転位置を検出する回転位置検出センサ３２３とを備え、中間ギア３２２を回転板３１０の周囲に形成されたギア部３１２と噛合してなるものである。回転板３１０は、回転位置検出センサ３２３にて検出された回転位置に基づいてステップモータ３２１を制御することにより、所定の位置へ回転駆動する構成となっている。回転位置検出センサ３２３としては、反射型の光センサを採用している。
【００１８】
図３及び図４に示すように、本例の回転板３１０は、第１作用面１１０側に突出し且つ回転板３１０の回転軸を中心とする円弧形の複数の突条部３１３と、回転板３１０の厚さ方向に起倒するレバー３１５を装着する開口部３１４とを備えている。図中の３１６は、光反射部、つまり回転位置検出センサ３２３にて検出する基準位置である。
【００１９】
図５に示すように、レバー３１５は、第２作用面１２０に向って付勢されるとともに、第２作用面１２０に支えられて第１作用面１１０側に突出するものとなっている。具体的には、開口部３１４に対して回転可能に装着され、その一方の部位が、回転板３１０に支持した板ばね３１５ａによって第１作用面１１０に向って付勢され、第１作用面１１０側に突出する他方の部位が、第２作用面１２０に向って付勢されるとともに、第２作用面１２０に支えられた状態となっている。
【００２０】
突条部３１３は、ＩＣコイン１０の保持位置を挟んで対峙する第１端部３１３ａ及び第２端部３１３ｂを備えている。突条部３１３の突出寸法は、回転板３１０と第１作用面１１０との間隔よりも小さく且つコイン１０の厚さよりも大きい。第２端部３１３ｂは、その先端に向って突出が無くなるまで小さくなるテーパー状のものとなっている。また、第１端部３１３ａは、その先端に向って突出がある程度小さくなるテーパー状のものとなっており、コイン１０と当接する第１端部３１３ａの端面の突出寸法は、コイン１０の厚さよりも小さい。
【００２１】
ＩＣコイン１０は、回転板３１０と第１作用面１１０との間において第１端部３１３ａ及びレバー３１５に当接して保持される。
【００２２】
回転板３１０は、ステップモータ３２１の回転方向を反転することにより、正逆回転可能となっている。ＩＣコイン１０は、回転板３１０を正回転させるとレバー３１５に押されて搬送され、回転板３１０を逆回転させると第１端部３１３ａに押されて搬送される。図１の場合は、右回りが正回転、左回りが逆回転となる。尚、回転板３１０の回転を円滑にすべく、回転板３１０と第２作用面１２０と間には、摺動材又は回転コロを設けるとよい。図例は、第２作用面１２０の要所に回転板３１０の回転軸を中心とする円弧形の摺動材１２１を装着し、回転板３１０がこの摺動材１２１に摺動するように構成したものである。
【００２３】
次に、本例のストック部４００について説明する。図６乃至図１１は、ストック部４００の説明図である。このストック部４００は、回転板３１０の回転方向と直交する方向にＩＣコイン１０を積層して貯留するものであり、第１作用面１１０から回転板３１０の反対側に設けられた円筒部４１０と、円筒部４１０の内部において回転板３１０の回転方向と直交する方向に移動可能に設けられるとともに回転板３１０に向って付勢された可動部４２０と、円筒部４１０と第１作用面１１０との境目から回転板３１０側に突出した突片４３０と、第２作用面１２０に設けられてレバー３１５を操作する凹部４４０とを備えている。ＩＣコイン１０は、円筒部４１０の内部に積層される。可動部４２０は、円筒部４１０の内部に圧縮された状態で配置されたコイルばね４２１にて付勢されている。突片４３０は、円筒部４１０と第１作用面１１０との境目に沿った円弧形を呈するとともに、突条部３１３との干渉を回避すべく櫛歯状となっている。
【００２４】
ストック部４００にＩＣコイン１０を貯留する場合は、回転板３１０を正回転させる。ＩＣコイン１０を保持した回転板３１０（図６参照）を正回転させ、ＩＣコイン１０を円筒部４１０へと搬送し（図７参照）、そのＩＣコイン１０が円筒部４１０にもたらされると（図８参照）、レバー３１５が凹部４４０により第２作用面１２０側に移動し、ＩＣコイン１０が突片４３０に当接しつつ第２端部３１３ｂに乗り上げることによって（図９参照）、円筒部４１０に押込まれる（図１０参照）。その後、レバー３１５が凹部４４０から脱出して所定の位置に復帰する（図１１参照）。
【００２５】
ストック部４００からＩＣコイン１０を取出す場合は、回転板３１０を逆回転させる。ＩＣコイン１０を保持していない回転板３１０（図１１参照）を逆回転させ、レバー３１５が凹部４４０により第２作用面１２０側に移動し（図１０参照）、第２端部３１３ｂが突片４３０を通過し（図９参照）、ＩＣコイン１０の保持位置が円筒部４１０にもたらされると、当該保持位置にＩＣコイン１０が可動部４２０により押出され（図８参照）、その後、レバー３１５が凹部４４０から脱出して所定の位置に復帰するとともに（図７参照）、押出されたＩＣコイン１０が第１端部３１３ａに押されて搬送される（図６参照）。突条部３１３の突出寸法はコイン１０の厚さよりも大きいが、第１端部３１３ａの端面の突出寸法はコイン１０の厚さよりも小さい。故に、回転板３１０側から二枚目のＩＣコイン１０は、第１作用面１１０よりも回転板３１０側に僅かに迫り出した位置まで移動しているものの、これが第１端部３１３ａに引っかかることはない。つまり、回転板３１０の回転に支障をきたすことはない。
【００２６】
尚、円筒部４１０には、貯留されたＩＣコイン１０が許容量に達したことを検出するストック部センサ４１１が設けられている。ストック部センサ４１１としては、反射型の光センサを採用している。
【００２７】
アンテナ２００、ステップモータ３２１、回転位置検出センサ３２３、ソレノイド５１０、第１センサ６１０、第２センサ６２０、第３センサ６３０、及びストック部センサ４１１は、不図示の制御回路にて制御されている。これらの制御方法は特に限定はしないが、基本的に、投入口１０１にＩＣコインが投入されるとそのデータを読取り、更に、遊戯媒体の貸出し装置における紙幣や硬貨の投入価格、遊戯媒体の貸出し量、及び読取ったＩＣコイン１０のデータに応じて排出口１０２から排出するＩＣコイン１０に書込みを行う構成となっている。ＩＣコイン１０の処理を実行している場合や、ストック部センサ４１１により貯留されたＩＣコイン１０が許容量に達していることが検出された場合や、ＩＣコイン処理装置１あるいは遊戯媒体の貸出し装置に何らかの異常が検出された場合は、ゲート５００を閉鎖する。
【００２８】
また、投入された後に返却する必要のなくなったＩＣコイン１０は、これをストック部４００に貯留して回収する。更に、紙幣や硬貨の投入に応じて新たにＩＣコイン１０を提供する場合は、ストック部４００に貯留されているＩＣコイン１０を取出し、第３センサ６３０で確認し、その後所定のデータをアンテナ２００で書込み、これを排出口１０２から排出する。ＩＣコイン１０は、各処理に応じて回転板３１０を所定の方向に回転することにより、搬送される。
【００２９】
尚、図１２及び図１３に示すように、ストック部４００の可動部４２０には、可動部４２０の移動方向と直交する方向に突出するストッパ４２２を複数設け、貯留しているＩＣコイン１０が無くなった際には、ストッパ４２２が円筒部４１０の要所に設けられた段部４１２に突き当たることによって、可動部４２０が位置決めされるように構成するとよい。
【００３０】
貯留しているＩＣコイン１０が一枚のとき、可動部４２０は、そのＩＣコイン１０を押出す必要から、第１作用面１１０よりも回転板３１０側に僅かに迫り出した位置まで移動し、そこでストッパ４２２によって位置決めされ停止する。このとき回転板３１０と可動部４２０との間隔は、ＩＣコイン１０の厚さと同じ、又はＩＣコインの厚さよりも小さく第１端部３１３ａの端面の突出寸法よりも大きく設定されている。故に、ストック部４００に貯留しているＩＣコイン１０が無いにもかかわらず、ストック部４００からＩＣコイン１０を取出そうとしても、可動部４２０が第１端部３１３ａに引っかかることはない。つまり、回転板３１０の回転に支障をきたすことはない。
【００３１】
このような構成によると、ＩＣコイン１０を素早く搬送することができるとともに、ストック部４００への貯留及びストック部４００からの取出しを円滑に行うことができ、ＩＣコイン処理装置１の性能及び処理速度の向上を達成することができる。また、装置１全体としては、小型化、薄型化、及び稠密化が達成されており、設置スペースを有効に利用するという点でも非常に有利である。
【００３２】
以上説明したように、本例のＩＣコイン処理装置は、遊戯媒体の貸出し装置に組込まれるユニットとして極めて合理的に構成されたものである。尚、本例における各部の構成は、特許請求の範囲に記載した技術的範囲において適宜に設計変更が可能であり、図例説明したものに限定されないことは勿論である。
【産業上の利用可能性】
【００３３】
本発明のＩＣコイン処理装置は、情報記録媒体としてＩＣコインを用いる遊戯媒体の貸出し装置に組込まれるユニットとして好適に利用することが可能である。
【符号の説明】
【００３４】
１    ＩＣコイン処理装置
１０    ＩＣコイン
１００    筐体
１０１    投入口
１０２    排出口
１１０    第１作用面
１２０    第２作用面
１２１    摺動材
２００    アンテナ
３００    搬送手段
３１０    回転板
３１１    支軸
３１２    ギア部
３１３    突条部
３１３ａ    第１端部
３１３ｂ    第２端部
３１４    開口部
３１５    レバー
３１５ａ    板ばね
３１６    光反射部
３２０    駆動手段
３２１    ステップモータ
３２２    中間ギア
３２３    回転位置検出センサ
４００    ストック部
４１０    円筒部
４１１    ストック部センサ
４１２    段部
４２０    可動部
４２１    コイルばね
４２２    ストッパ
４３０    突片
４４０    凹部
５００    ゲート
５１０    ソレノイド
５２０    リンク部
６１０    第１センサ
６２０    第２センサ
６３０    第３センサ
【図１】
2010233675.tif 000003
【図２】
2010233675.tif 000004
【図３】
2010233675.tif 000005
【図４】
2010233675.tif 000006
【図５】
2010233675.tif 000007
【図６】
2010233675.tif 000008
【図７】
2010233675.tif 000009
【図８】
2010233675.tif 000010
【図９】
2010233675.tif 000011
【図１０】
2010233675.tif 000012
【図１１】
2010233675.tif 000013
【図１２】
2010233675.tif 000014
【図１３】
2010233675.tif 000015